(57)【要約】      （修正有）【課題】８の字に動く健康器具を提供する。【解決手段】８の字に動く健康器具の構造であり、それに含まれるのは、台座１の前方に設ける方向限定棒、該台座に設ける軸心ホルダー５２及び、傾斜軸６である。該傾斜軸を中心軸５に固定し、該中心軸に伝動輪５１を設け、該伝動輪はベルト４３を介してモーター４と接続する。前記傾斜軸は支柱７及び補助棒８と固定し、該支柱及び補助棒はシート３に設けるシート固定プレイト９と固定する。シートに取っ手を設ける。ユーザーは使用する際、シートに座り、取っ手を持ち、モーターを起動すると、ベルトによって伝動輪が回転する際、前記傾斜軸及び中心軸、支柱を動かすことで８の字の曲線を描いて動き、腰と臀部をひねる効果を発揮する。【選択図】図２
0003156712.tif 000002
【実用新案登録請求の範囲】
【請求項１】
台座、支柱、補助棒、シート固定プレイトを含み、
前記台座に一つの棒体台座を設け、該棒体台座は棒体及びモーターを設け、該モーターにベルトを掛け、
該ベルトの別端は中心軸に設ける伝動輪に掛け、該中心軸に別途二つの傾斜軸を設け、該傾斜軸の軸心及び前記中心軸は適切な角度を呈すことで、前記中心軸の両端はそれぞれ軸心ホルダーに固定し、及び、
前記支柱は一つの傾斜軸と嵌合し、前記支柱の上端はシート固定プレイトと接続し、
前記補助棒は別の傾斜軸と嵌合し、前記補助棒の上端はシート固定プレイトと接続し、
前記シート固定プレイトはシートに固定し、該シートは取っ手及び電子モニターを設け、  前記の構造を組み合わせた後、外側を飾りプレイトで蓋合し、
ユーザーは使用する際、シートに座り、取っ手を持ち、電子モニターにて設定し、モーターを起動し、
ベルトによって伝動輪が回転する際、前記傾斜軸及び中心軸を介して支柱を動かし、同時に方向限定棒を設置することにより、前記支柱がシートを８の字の形に動かし、前記補助棒により、シートが水平に動くことで、腰と臀部をひねる効果に達することを特徴とする８の字に動く健康器具。
【請求項２】
前記中心軸の両端はそれぞれ軸心ホルダーに固定し、更にＣ型フックで固定し、該軸心ホルダーはネジ及び座金を用いて台座に固定することを特徴とする請求項１記載の８の字に動く健康器具。
【請求項３】
前記支柱及び前記補助棒はそれぞれ一つの傾斜軸に嵌合し、該傾斜軸と接続する下端は、ベアリングを挿入したあと、固定板及びネジで固定し、サイド側はベアリング及びネジ栓を挿入し、該上端はシート固定プレイトに固定し、回転軸をベアリング及びナットに挿入して固定することを特徴とする請求項１記載の８の字に動く健康器具。
【請求項４】
前記シート固定プレイトと前記補助棒が接続する穴はＵ字型穴であり、補助棒が動く際、該Ｕ字型穴により移動スペースが増えることで、補助棒及びシート固定プレイトの動きがよりスムーズになることを特徴とする請求項１記載の８の字に動く健康器具。
【請求項５】
前記モーターと前記伝動輪の間は、異なるニーズに基づき、代わりに歯車或いは歯車セットを用いて回転することができることを特徴とする請求項１記載の８の字に動く健康器具。
【請求項６】
台座、支柱、補助棒、シート固定プレイトを含み、
前記台座に一つの棒体台座を設け、該棒体台座は棒体を設け、該棒体の後方に補助棒固定台を設け、該補助固定台にネジ栓を設け、
モーターを設け、該モーターにベルトを掛け、
該ベルトの別端は中心軸に設ける伝動輪に掛け、該中心軸に別途一つの傾斜軸を設け、該中心軸の両端はそれぞれ軸心ホルダーに固定し、及び、
前記支柱は傾斜軸と嵌合し、前記支柱の上端はシート固定プレイトと接続し、
前記補助棒の両端はマルチジョイントであり、片端は補助棒固定台に設けるネジ栓と固定し、別端はシート固定プレイトと接続し、
前記シート固定プレイトはシートに固定し、該シートは取っ手及び電子モニターを設け、
前記の構造を組み合わせた後、外側を飾りプレイトで蓋合し、
ユーザーは使用する際、シートに座り、取っ手を持ち、電子モニターにて設定し、モーターを起動し、
ベルトによって伝動輪が回転する際、前記傾斜軸及び中心軸を介して支柱を動かし、同時に方向限定棒を設置することにより、前記支柱がシートを８の字の形に動かし、その時、前記補助棒により、シートの左右がそれぞれ高い、低い位置に変化することを特徴とする８の字に動く健康器具。
【請求項７】
前記台座の前方に前柱を設け、該前柱に取っ手を設置することを特徴とする請求項６記載の８の字に動く健康器具。
【請求項８】
前記取っ手に電子モニターを設置し、運動データに関する表示及び記録をすることを特徴とする請求項７記載の８の字に動く健康器具。
【請求項９】
前記モーターと前記伝動輪の間は、異なるニーズに基づき、代わりに歯車或いは歯車セットを用いて回転することができることを特徴とする請求項６記載の８の字に動く健康器具。
【考案の詳細な説明】
【技術分野】
【０００１】
本考案は、８の字に動く健康器具に関し、特にそれに乗る、或いはその上に立ち、器具が８の字に動くことで、腰と臀部をひねる効果に達する健康器具の構造に関する。
【背景技術】
【０００２】
経済が活性化し、毎日忙しく仕事をしている現代人にとって、アウトドアスポーツをする時間がないため、多くの人が肥満の問題を抱えるなか、健康器具で運動する人が増えてきた。一般的な健康器具は、ジョギングやストレッチ、または自転車の形態のものが多いが、腰と臀部を動かす健康器具が不足している。例えば自転車の健康器具では女性が最も気にする腰周りや臀部周りには、なんら効果がない。よって、腰周りと臀部周りを十分に動かすことのできるものを案出した。  
先行技術としては例えば特許文献１に開示されているものがある。特許文献１は自転車式運動器具であって、ハンドルポストに取付けられたハンドルと、シートピラーに取付られたサドルと、ペダル負荷を受けるペダルとを具え、ハンドルをその中央部を支点として水平位置と水平に対して傾斜した傾斜位置との間に回動自在に支持するハンドル傾動支持手段と、前記ハンドルを前記傾斜位置に附勢するハンドル負荷手段とを設け、脚力ばかりでなく腕力および背筋力をも同時に鍛練するようにしたものである。
【先行技術文献】
【特許文献】
【０００３】
【特許文献１】特開平６−２１００２３号公報
【考案の概要】
【考案が解決しようとする課題】
【０００４】
前記構造の欠点を解決するため、本考案は、腰周りや臀部周りをひねることのできる、８の字に動く健康器具の構造を提供することを主な課題とする。
【課題を解決するための手段】
【０００５】
前記課題を解決するため、本考案は８の字に動く健康器具を提供するものである。それに含まれるのは、台座、台座の前方に設ける方向限定棒、該台座に設ける軸心ホルダー及び、傾斜軸である。該傾斜軸を中心軸に固定し、該中心軸に伝動輪を設け、該伝動輪はベルトを介してモーターと接続する。前記傾斜軸は支柱及び補助棒と固定し、該支柱及び補助棒はシートに設けるシート固定プレイトと固定する。シートに取っ手を設ける。ユーザーは使用する際、シートに座り、取っ手を持ち、モーターを起動すると、ベルトによって伝動輪が回転する際、前記傾斜軸及び中心軸、支柱を動かすことで８の字の曲線を描いて動き、腰と臀部をひねる効果に達する。
【０００６】
前記８の字に動く健康器具の補助棒両端はマルチジョイントであり、シート及び台座に固定する。マルチジョイントにより、シートが８の字に動く際、シートの左右はそれぞれ高い、低い位置に変化する。
【０００７】
前記８の字に動く健康器具の台座前方に、前柱を設置することができる。前柱にはユーザーが使用する際に持つ取っ手及び、関連運動データを表示、記録する電子モニターを設ける。
【考案の効果】
【０００８】
本考案は台座、方向限定棒、軸心ホルダー、傾斜軸、ベルトを設置することによって、モーターが起動すると、ベルトにより伝動輪が回転し、前記傾斜軸及び中心軸、支柱を動かすことでシートが８の字の曲線を描いて動き、腰と臀部をひねる効果に達する。
【図面の簡単な説明】
【０００９】
【図１】本考案の第一実施例の立体図である。
【図２】本考案の第一実施例の立体分解図である。
【図３】本考案の第一実施例の組立後の断面図である。
【図４】本考案の第一実施例の動作説明図である。
【図５】本考案の第一実施例の動作説明図である。
【図６】本考案の第一実施例の動作説明図である。
【図７】本考案の第一実施例の動作説明図である。
【図８】本考案の第二実施例の立体図である。
【図９】本考案の第二実施例の立体分解図である。
【考案を実施するための形態】
【００１０】
以下、図面を参照して本考案の実施例について説明する。
【実施例】
【００１１】
図１、図２及び図３に示すのは、本考案の第一実施例の立体図、立体分解図及び組立後の断面図である。これらの図に示すように、本考案の８の字に動く健康器具は主に台座１を具有し、該台座１に一つの棒体台座１１を設け、棒体台座１１に棒体を設ける。ネジ４１及び座金４２を用いてモーター４を台座１に固定し、モーター４にベルト４３を掛ける。
【００１２】
該ベルト４３の別端は中心軸５が具有する伝動輪５１に掛ける。該中心軸５は別途二つの傾斜軸６を設け、中心軸５の両端をそれぞれ軸心ホルダー５２に固定し、Ｃ型フック５３で固定する。該軸心ホルダー５２はネジ５４及び座金５５で台座１に固定する。
【００１３】
支柱７を一つの傾斜軸６に嵌合する。該傾斜軸６と接続する支柱７の下端は、ベアリング６１を挿入したあと、固定板６２及びネジ６３で固定する。サイド側はベアリング７５及びネジ栓７４を挿入する。該支柱７の上端はシート固定プレイト９に固定し、回転軸７２はブッシュ７１及びナット７３を挿入して固定する。
【００１４】
補助棒８は別の一つの傾斜軸６に嵌合する。該傾斜軸６と接続する補助棒８の下端は、ベアリング６１を挿入したあと、固定板６２及びネジ６３で固定し、サイド側にベアリング７５及びネジ栓７４を挿入する。該補助棒８の上端に一つの水平コントロールバー８１を固定し、該水平コントロールバー８１をシート固定プレイト９のＵ字型穴９０に設置する。補助棒８が動く際、Ｕ字型穴９０により移動スペースが増えることで、補助棒８及びシート固定プレイト９の動きがよりスムーズとなる。
【００１５】
該シート固定プレイト９は、ナット９１及び座金９２を用いてシート３に固定する。該シート３に取っ手３１及び電子モニター３２を設ける。
【００１６】
上記の構造を組み合わせた後、外側を飾りプレイト２で蓋合する。ユーザーは使用する際、シート３に座り、取っ手３１を持つ。電子モニター３２にて設定し、モーター４を起動する。ベルト４３によって伝動輪５１が回転する際、該傾斜軸６及び中心軸５を介して支柱７を動かす。同時に棒体を設置することにより、該支柱７がシート３を８の字の形に動かす。該補助棒８によりシート３が水平に動くことで、腰と臀部をひねる効果に達する。
【００１７】
前記の伝動輪５１を動かすベルト４３は異なるニーズに基づき、代わりに歯車或いは歯車セットを使用し、歯車を用いて伝動輪５１を回転してもよい。
【００１８】
図３に示すのは本考案を組み合わせた後の断面図であり、図４、図５、図６及び図７に示すのは本考案の動作説明図である。本考案の８の字に動く健康器具を使用する際、ユーザーはシート３に乗り、取っ手３１を持つ。モーター４のスイッチを入れると伝動輪５１が回転することで、傾斜軸６及び中心軸５が支柱７及び補助棒８をコントロールし、シート３が８の字の曲線を描いて動く。当該動きの角度は図に示すようであり、０°(図４)、９０°(図５)、１８０°(図６)及び２７０°(図７)の角度を描くことで、ユーザーが腰と臀部をひねる効果に達する。
【００１９】
図８及び図９に示すのは、本考案の第二実施例である。図８に示すのは、本考案の第二実施例の立体図である。台座１に一つの前柱２００を設置し、該前柱２００に取っ手２０１及び電子モニター２０２を設け、関連する運動データを表示、記録する。使用する際、ユーザーは取っ手２０１を持ち、シート３の上に立つことで、８の字の曲線に動くことができる。
【００２０】
図９に示すのは、本考案の第二実施例の立体分解図である。なお、図９では、台座１に設置される図８の前柱２００、取っ手２０１及び電子モニター２０２を省略してある。
図９において、そこに含まれるのは台座１、台座に設ける棒体台座１１、該棒体台座１１に設ける棒体である。該棒体の後方に補助棒固定台１０を設け、該補助棒固定台１０にネジ栓１０１を設ける。ネジ４１及び座金４２を用いてモーターを台座１に固定し、モーター４にベルト４を掛ける。
【００２１】
該ベルト４３の別端は中心軸５が具有する伝動輪５１に掛ける。該中心軸５は別途一つの傾斜軸６を設け、中心軸５の両端をそれぞれ軸心ホルダー５２に固定し、Ｃ型フック５３で固定する。該軸心ホルダー５２はネジ５４及び座金５５で台座１に固定する。
【００２２】
支柱７を傾斜軸６に嵌合し、該傾斜軸６と接続する支柱７の下端は、ベアリング６１を挿入したあと、固定板６２及びネジ６３で固定する。サイド側はベアリング７５及びネジ栓７４を挿入する。該支柱７の上端はシート固定プレイト９に固定し、回転軸７２はブッシュ７１及びナット７３を挿入して固定する。
【００２３】
補助棒８の両端はそれぞれマルチジョイント８３であり、片端は補助棒固定台１０に設けるネジ栓１０１と固定し、別端はシート固定プレイト９と固定し、回転軸８２にナット８４を挿入して固定する。
【００２４】
シート固定プレイト９はナット９１及び座金９２を用いてシート３に固定する。  
なお、図９では図８のように前柱２００を取り付ける実施例であるため、シート３には図１乃至図７に示した取っ手３１及び電子モニター３２を取り付けない構成としてある。しかし、前柱２００を設置せずに第一実施例のように用いる健康器具とすることも可能である。その場合は、前柱２００を設置せず、シート３に取っ手３１及び電子モニター３２を設置してもよい。
【００２５】
上記の構造を組み合わせた後、外側を飾りプレイト２で蓋合する。ユーザーは使用する際、シート３に座り、取っ手３１を持つ。電子モニター３２にて設定し、モーター４を起動する。ベルト４３により伝動輪５１が回転する際、該傾斜軸６及び中心軸５を介して支柱７を動かす。同時に棒体を設置することにより、該支柱７がシート３を８の字の曲線を描くように動かす。その時、該補助棒８により、シート３の左右がそれぞれ高い、低い位置に変化する。
【００２６】
前記の伝動輪５１を動かすベルト４３は異なるニーズに基づき、代わりに歯車或いは歯車セットを使用し、歯車を用いて伝動輪５１を回転してもよい。
【００２７】
以上の実施例による本考案の詳細な説明は本考案の範囲を制限するものではない。本技術に熟知する者は、固定構造の変更などの適当な変更および調整を行うことができ、これらの変更および調整を行っても本考案の重要な意義は失われず、本考案の範囲に含まれる。
【符号の説明】
【００２８】
１  台座
１１  棒体台座  
２  本体飾りプレイト
３  シート
３１  取っ手
３２  電子モニター
４  モーター
４１  ネジ
４２  座金
４３  ベルト
５  中心軸
５１  伝動輪
５２  軸心ホルダー
５３  Ｃ型フック
５４  ネジ
５５  座金
６  傾斜軸
６１  ベアリング
６２  固定板
６３  ネジ
７  支柱
７１  ブッシュ
７２  回転軸
７３  ナット
７４  ネジ栓
７５  ベアリング
８  補助棒
８１  水平コントロールバー
８２  回転軸
８３  マルチジョイント
８４  ナット
９  シート固定プレイト
９０  Ｕ字型穴
９１  ナット
９２  座金
１０  補助棒固定台
１０１  ネジ栓
２００  前柱
２０１  取っ手
２０２  電子モニター
【図１】
0003156712.tif 000003
【図２】
0003156712.tif 000004
【図３】
0003156712.tif 000005
【図４】
0003156712.tif 000006
【図５】
0003156712.tif 000007
【図６】
0003156712.tif 000008
【図７】
0003156712.tif 000009
【図８】
0003156712.tif 000010
【図９】
0003156712.tif 000011